(57)【要約】【課題】工具を安定に保持することができ、工具マガジンへの工具の着脱時に大きな力を必要としない工具保持具を提供する。【解決手段】本発明に係る工具保持具は、柱状をなす工具の一側面部及び該一側面部の反対側に位置する他側面部夫々を保持し、前記一側面部及び他側面部に沿った半筒状をなす二つの保持部と、該二つの保持部夫々の側縁部を回動可能に連結する連結部と、前記二つの保持部夫々から突出した取手部とを備えることを特徴とする。【選択図】図１
2015174158.tif 000002
【特許請求の範囲】
【請求項１】
柱状をなす工具の一側面部及び該一側面部の反対側に位置する他側面部夫々を保持し、前記一側面部及び他側面部に沿った半筒状をなす二つの保持部と、
該二つの保持部夫々の側縁部を回動可能に連結する連結部と、
前記二つの保持部夫々から突出した取手部と
を備えることを特徴とする工具保持具。
【請求項２】
前記保持部の前記側縁部に、前記工具に当接すべき当接部が前記連結部から離間して設けてあること
を特徴とする請求項１に記載の工具保持具。
【請求項３】
前記二つの保持部夫々の内側に前記工具の一側面部及び他側面部を保護する保護部材が着脱可能に設けてあること
を特徴とする請求項１又は２に記載の工具保持具。
【請求項４】
前記保持部の前記側縁部に、前記工具に形成されたキー溝に係合するキーが設けてあること
を特徴とする請求項１から３のいずれか一つに記載の工具保持具。
【請求項５】
前記二つの保持部夫々における前記取手部の反対側の端部に、前記工具を掛止する掛止部が設けてあること
を特徴とする請求項１から４のいずれか一つに記載の工具保持具。
【発明の詳細な説明】
【技術分野】
【０００１】
本発明は、工作機械の工具マガジンに工具を着脱する場合に使用し、工具を保持する工具保持具に関する。
【背景技術】
【０００２】
工作機械は、ワークをテーブル上に保持し、主軸に装着された工具によってフライス加工、ねじ立て等種々の加工を行う。工作機械は複数の工具を格納する工具マガジンを備え、工具マガジンから所定の工具を選択し、主軸に装着する（例えば特許文献１）。
【０００３】
作業者は、工作機械を運転する前に工具マガジンから不要な工具を取り外し、所望の工具を装着する。工具マガジンへの工具の取り付け及び装着は手で行う。
【先行技術文献】
【特許文献】
【０００４】
【特許文献１】特開２０１２−２１０６８１号公報
【発明の概要】
【発明が解決しようとする課題】
【０００５】
しかし小型の工具を手で掴むことは難しく、作業者は工具を落とすことがある。落下によって工具が損傷した場合、前記工具によるワークの加工精度が低下する虞がある。
【０００６】
本発明は斯かる事情に鑑みてなされたものであり、工具を安定に保持することができ、容易に工具を工具マガジンへ着脱できる工具保持具を提供することを目的とする。
【課題を解決するための手段】
【０００７】
本発明に係る工具保持具は、柱状をなす工具の一側面部及び該一側面部の反対側に位置する他側面部夫々を保持し、前記一側面部及び他側面部に沿った半筒状をなす二つの保持部と、該二つの保持部夫々の側縁部を回動可能に連結する連結部と、前記二つの保持部夫々から突出した取手部とを備えることを特徴とする。
【０００８】
本発明においては、作業者は二つの保持部夫々に設けた取手部を両手で掴む。作業者は二つの保持部を離す。二つの保持部は連結部を中心に回動し、離間する。工具保持具は開く。作業者は二つの保持部の間に工具を配置し、二つの保持部を近づける。二つの保持部は連結部を中心に回動し、接近する。工具保持具は閉じ、工具を保持する。作業者は工具保持具を工具マガジンに近づけ、工具保持具に保持した状態で工具を工具マガジンに装着するか、又は工具保持具に保持した状態で工具を工具マガジンから取り外す。
【０００９】
本発明に係る工具保持具は、前記保持部の前記側縁部に、前記工具に当接すべき当接部が前記連結部から離間して設けてあることを特徴とする。
【００１０】
本発明においては、工具マガジンに工具を装着する場合、当接部は工具と当接して、該工具が装着方向と反対方向に移動することを防止する。
【００１１】
本発明に係る工具保持具は、前記二つの保持部夫々の内側に前記工具の一側面部及び他側面部を保護する保護部材が着脱可能に設けてあることを特徴とする。
【００１２】
本発明においては、保持部の内側に保護部材を設ける。保護部材は工具の周面に近接し、工具を損傷から保護する。
【００１３】
本発明に係る工具保持具は、前記保持部の前記側縁部に、前記工具に形成されたキー溝に係合するキーが設けてあることを特徴とする。
【００１４】
本発明においては、保持部に設けたキーは工具のキー溝に係合し、工具を位置決めする。キーは工具を工具マガジンに装着可能な姿勢にする。作業者はキーをキー溝に係合するだけでよく、工具マガジンへの工具の取り付け作業の効率性が向上する。
【００１５】
本発明に係る工具保持具は、前記二つの保持部夫々における前記取手部の反対側の端部に、前記工具を掛止する掛止部が設けてあることを特徴とする。
【００１６】
本発明においては、掛止部は工具を掛止する。工具は工具保持具から抜けないので、工具保持具は工具を確実に保持する。
【発明の効果】
【００１７】
本発明にあっては、作業者は二つの保持部夫々に設けた取手部を両手で掴む。作業者は二つの保持部を離す。二つの保持部は連結部を中心に回動し、離間する。工具保持具は開く。作業者は二つの保持部の間に工具を配置し、二つの保持部を近づける。二つの保持部は連結部を中心に回動し、接近する。工具保持具は閉じ、工具を保持する。作業者は工具保持具を工具マガジンに近づけ、工具保持具に保持した状態で工具を工具マガジンに装着するか、又は工具保持具に保持した状態で工具を工具マガジンから取り外す。保持部は半筒状をなし、取手部は保持部から突出しているので、工具から離間している。作業者は工具から離間した位置で工具マガジンに対する工具の着脱を行うことができるので工具を落とすことがない。
【図面の簡単な説明】
【００１８】
【図１】実施の形態１に係る開いた状態の工具保持具を略示する斜視図である。
【図２】閉じた状態の工具保持具を略示する斜視図である。
【図３】工具を保持した工具保持具を開いた状態において略示する斜視図である。
【図４】工具を保持した工具保持具を閉じた状態において略示する斜視図である。
【図５】図４に示すＶ−Ｖ線を切断線とした略示断面図である。
【図６】工具保持具を使用した工具の着脱を説明する説明図である。
【図７】構成の一部を変更した突出板の一例を略示する拡大平面図である。
【図８】構成の一部を変更した突出板の他例を略示する拡大平面図である。
【図９】実施の形態２に係る開いた状態の工具保持具を略示する斜視図である。
【図１０】閉じた状態の工具保持具を略示する斜視図である。
【図１１】工具を保持した工具保持具を開いた状態において略示する斜視図である。
【図１２】工具を保持した工具保持具を閉じた状態において略示する斜視図である。
【発明を実施するための形態】
【００１９】
（実施の形態１）
以下本発明を実施の形態１に係る工具保持具を示す図面に基づいて説明する。図１は開いた状態の工具保持具を略示する斜視図、図２は閉じた状態の工具保持具を略示する斜視図である。以下の説明では図において矢印で示す上下、左右及び前後を使用する。なお正面は前面に、背面は後面に相当する。
【００２０】
工具保持具１は、右側及び左側夫々に位置する第１保持部１０及び第２保持部２０を備える。第１保持部１０及び第２保持部２０夫々は上下に長い半筒状をなす。第１保持部１０は、中央幹体１１、保持枠１５及び取手連結板１４を備える。
【００２１】
中央幹体１１は上下に延びた上面視Ｌ形の棒状をなす。中央幹体１１は、上下に長い矩形状の第１板部１２及び第２板部１３を有する。第１板部１２の右縁部分及び第２板部１３の左縁部分が直角に連なっている。
【００２２】
第１板部１２の左縁部分の上下方向中央部分に凹部１２ａが設けてある。該凹部１２ａの上側に第１板部１２に平行な延出片１２ｂが設けてある。延出片１２ｂは、第１板部１２の左縁部分から延出している。該延出片１２ｂには後述するキー溝５３ｂ（図３参照）に嵌まるキー１２ｃが設けてある。キー１２ｃは延出片１２ｂに平行な横長の板状をなす。
【００２３】
第２板部１３の下端部に第２板部１３に平行な取手連結板１４が設けてある。取手連結板１４は、第２板部１３の右縁部分から延出している。取手連結板１４の外面（第１板部１２の反対側の面）に、Ｌ形の取手１８が連結している。取手１８は一端部が下側に位置するように、その他端部が取手連結板１４に連結している。取手１８は、取手連結板１４に平行な方向に突出し、その突出端部から下方に延びている。
【００２４】
中央幹体１１の上端部に保持枠１５が設けてある。保持枠１５は、上下に長い上面視Ｕ字状の半筒形をなす。保持枠１５の内側には、工具５０（図３参照）を保護する保護部材１６が螺子３５によって、取り外し可能に取り付けてある。保護部材１６は上下に長い半筒状をなす。保護部材１６の内周面は半円錐台形をなし、後述する工具５０の円錐台部５２（図３参照）の形状に対応している。保護部材１６は樹脂部材によって構成してある。
【００２５】
保持枠１５の上縁部の中央部分から上方に突出板１７（掛止部）が突出している。突出板１７は側面視逆Ｌ形をなす。突出板１７は、保持枠１５から上方に突出した側板部１７ａと、該側板部１７ａの上端部から内側（第２保持部２０側）に向けて突出した上板部１７ｂとを備える。上板部１７ｂの突出端縁にはＶ状の掛止凹部１７ｃが設けてある。
【００２６】
第２保持部２０は、中央幹体２１、保持枠２５及び取手連結板２４を備える。中央幹体２１は上下に延びた上面視Ｌ形の棒状をなす。中央幹体２１は、上下に長い矩形状の第１板部２２及び第２板部２３を有する。第１板部２２の左縁部分及び第２板部２３の右縁部分が直角に連なっている。
【００２７】
第１板部２２の右縁部分の上下方向中央部分に凹部２２ｂが設けてある。該凹部２２ｂは、第１保持部１０の凹部１２ａよりも上側であって、第１保持部１０の延出片１２ｂ及びキー１２ｃに対応した位置にある。凹部２２ｂは第１保持部１０の延出片１２ｂ及びキー１２ｃを収容する。凹部２２ｂの下側に第１板部２２に平行な延出片２２ａ（当接部）が設けてある。延出片２２ａは、第１板部２２の右縁部分から延出している。第１保持部１０の凹部１２ａは延出片２２ａを収容する。
【００２８】
第２板部２３の下端部に第２板部２３に平行な取手連結板２４が設けてある。取手連結板２４は、第２板部２３の左縁部分から延出している。取手連結板２４の外面（第１板部２２の反対側の面）に、Ｌ形の取手２８が連結している。取手２８は一端部が下側に位置するように、その他端部が取手連結板２４に連結している。取手２８は、取手連結板２４に平行な方向に突出し、その突出端部から下方に延びている。
【００２９】
中央幹体２１の上端部に保持枠２５が設けてある。保持枠２５は、上下に長い上面視Ｕ字状の半筒形をなす。保持枠２５の内側には、工具５０を保護する保護部材２６が螺子３５によって、取り外し可能に取り付けてある。保護部材２６は上下に長い半筒状をなす。保護部材２６の内周面は半円錐台形をなし、後述する工具５０の円錐台部５２の形状に対応している。保護部材２６は樹脂部材によって構成してある。
【００３０】
保持枠２５の上縁部の中央部分から上方に突出板２７が突出している。突出板２７は側面視逆Ｌ形をなす。突出板２７は、保持枠２５から上方に突出した側板部２７ａと、該側板部２７ａの上端部から内側（第１保持部１０側）に向けて突出した上板部２７ｂとを備える。上板部２７ｂの突出端縁にはＶ状の掛止凹部２７ｃが設けてある。
【００３１】
第１保持部１０及び第２保持部２０夫々の第１板部１２、２２は左右に対向している。第１板部１２の左縁部分及び第１板部２２の右縁部分は、上端部及び下端部夫々において、ヒンジ３０（連結部）によって回動可能に連結してある。作業者が取手を掴み、左右に動かした場合、第１保持部１０及び第２保持部２０は左右に回動する。作業者の左右動作によって工具保持具１は開閉する。
【００３２】
なおヒンジ３０に代えて回動可能な他の連結部を設けてもよい。例えば、各第１板部１２、２２にフックを設けて、各フックを回動可能に連結してもよい。また一方の第１板部にフックを設け、他方の第１板部に軸部材を設けて、軸部材をフックに回動可能に連結してもよい。
【００３３】
図３は工具５０を保持した工具保持具１を開いた状態において略示する斜視図、図４は工具５０を保持した工具保持具１を閉じた状態において略示する斜視図、図５は図４に示すＶ−Ｖ線を切断線とした略示断面図である。なお工具５０は小型の小径工具である。
【００３４】
工具５０は工具本体５５及び工具ホルダ５１を備える。工具ホルダ５１は工具本体５５を支持する。工具ホルダ５１は、円錐台部５２、円柱部５３及びプルスタッド５４を有する。円錐台部５２は上側が縮径するように形成してある。円柱部５３は円錐台部５２の下端部に同軸的に設けてある。円柱部５３の周面の上下方向中央部分に、周方向に沿った溝５３ａが設けてある。円柱部５３の一側面部及び他側面部夫々にキー溝５３ｂが設けてある。
【００３５】
他側面部は、一側面部の略１８０度反対側に位置する。プルスタッド５４は円柱状をなし、円錐台部５２の上面から上方に突出している。プルスタッド５４の上端部は、下部分よりも大径である。円柱部５３の下面には穴（図示略）が設けてある。工具本体５５は円柱状をなし、その直径は円柱部５３よりも小さい。工具本体５５は前述した穴に嵌入している。
【００３６】
図３に示すように、工具５０を工具保持具１に保持する場合、作業者は工具保持具１を開き、二つのキー溝５３ｂ夫々が前側及び後側に位置するように、円錐台部５２を二つの保護部材１６、２６の間に配置する。図４に示すように、作業者は工具保持具１を閉じ、二つの保護部材１６、２６によって円錐台部５２の周面を保持する。
【００３７】
図５に示すように、工具保持具１を閉じる時、作業者は後側のキー溝５３ｂの内側にキー１２ｃが位置するように、工具５０の周方向位置を調整する。後側のキー溝５３ｂにキー１２ｃが係合した場合、工具保持具１に対して工具５０の位置が決まる。前側のキー溝５３ｂは保持枠１５、２５の下側にて露出する。キー溝５３ｂ及びキー１２ｃの位置が整合しない場合、工具５０はキー１２ｃに乗り上げて斜め姿勢になるので、作業者はキー溝５３ｂ及びキー１２ｃの位置が整合していないことを容易に認識する。
【００３８】
プルスタッド５４の下部分は二つの掛止凹部１７ｃ、２７ｃの間に位置する。プルスタッド５４の上端部は掛止凹部１７ｃ、２７ｃよりも上側に位置する。プルスタッド５４の上端部（大径部分）は掛止凹部１７ｃ、２７ｃの縁部分に掛止する。保持枠１５、２５、保護部材１６、２６及び掛止凹部１７ｃ、２７ｃは工具５０を保持するので、工具５０は工具保持具１から落下しない。
【００３９】
図６は工具保持具１を使用した工具５０の着脱を説明する説明図である。工作機械は、主軸６０及び工具マガジン６１等を備える。工具マガジン６１は円盤６２及びカバー６３を備える。円盤６２は前側に配置してあり、その中心部が回転軸（図示略）に連結している。カバー６３は円盤６２の外周縁部全体から後方に突出している。カバー６３の後縁部には複数の凹部６４が周方向に並設してある。凹部６４の内側には工具５０を保持するアーム（図示略）が設けてある。
【００４０】
図６の実線矢印で示すように、工具５０をアームに取り付ける場合、作業者は、閉じた状態で取手１８、２８を掴んで、工具５０を保持した工具保持具１を凹部６４に近づける。工具保持具１を閉じた場合、取手１８、２８間の距離は短いので、作業者は取手１８、２８を片手で掴むことができる。作業者は、アームが有する爪に円柱部５３の溝５３ａを嵌め込み、図６の実線矢印方向に押し込む。第２保持部２０の延出片２２ａは工具５０の円柱部５３に当接し、工具５０が押し込む方向と反対側の方向に移動することを防ぐ。
【００４１】
円柱部５３は凹部６４に入り込む。アームは円柱部５３の溝５３ａに嵌合して、工具５０を保持する。作業者は工具保持具１を開いて後に引く。工具５０は工具保持具１から離れる。工具マガジン６１は工具５０を保持する。
【００４２】
工具５０の二つのキー溝５３ｂは、アームに保持した状態で前側及び後側に位置する。主軸６０下端部の前後夫々にキー溝５３ｂに嵌合するキー１２ｃが設けてある。キー溝５３ｂは、主軸６０下端部の前後に設けたキー（図示略）に対応した位置にあるので、工具５０を主軸６０に装着する場合、主軸６０のキーはキー溝５３ｂに嵌合し、工具５０は所定の姿勢で主軸６０に円滑に装着する。
【００４３】
図６の破線矢印で示すように、工具５０をアームから取り外す場合、作業者は取手１８、２８を掴んで工具保持具１を開き、工具５０の円錐台部５２が二つの保護部材１６、２６の間に位置するように、凹部６４に近づける。作業者は工具保持具１を閉じて、二つの保護部材１６、２６で円錐台部５２を保持する。作業者は、キー１２ｃがキー溝５３ｂに嵌合するように、工具５０の周方向位置を調整する。
【００４４】
作業者は、工具保持具１を後方（図６の破線矢印方向）に移動させる。二つの保護部材１６、２６の前部は円錐台部５２を後方に押圧し、工具５０を後方に押し出す。アーム及び凹部６４から工具５０は離れる。工具保持具１は工具５０を保持し、工具マガジン６１から離れる。工具保持具１は工具５０を工具マガジン６１から取り外す。
【００４５】
第１保持部１０及び第２保持部２０は半筒状をなし、取手１８、２８は第１保持部１０及び第２保持部２０から突出しているので、工具５０から離間している。作業者は工具５０から離間した位置で工具マガジン６１に対する工具５０の着脱を行う。
【００４６】
作業によっては両手よりも片手で作業する方が、作業しやすい場合がある。片手で両取手１８、２８を掴んだ場合、両手で作業する場合よりも取手１８、２８に付与する力は小さいが、力を増幅するので工具５０の着脱を確実に行うことができる。
【００４７】
工具５０は金属で構成してあり、保護部材１６、２６は樹脂部材で構成してあるので、保護部材１６、２６は工具５０よりも柔らかい。保護部材１６、２６は工具５０の周面に近接し、工具５０を損傷から保護する。なお保護部材１６、２６は、工具５０の周面に接触する部分だけを樹脂部材で構成し、他の部分を金属で構成してもよい。また樹脂部材に代えてゴムなどの弾性部材を保護部材１６、２６に使用してもよい。弾性部材を使用した場合、弾性変形によって、保護部材１６、２６は工具５０及び保持枠１５、２５の寸法誤差を吸収することができる。
【００４８】
工具５０の仕様に応じて、保護部材１６、２６は設計してある。それ故、異なる仕様の工具５０を使用する場合、作業者は、工具５０の仕様に応じた保護部材１６、２６に交換する。作業者は、螺子３５を取り外して保護部材１６、２６を保持枠１５、２５から取り外し、工具５０の仕様に応じた保護部材１６、２６を保持枠１５、２５に螺子３５で取り付ける。
【００４９】
キー１２ｃは工具５０のキー溝５３ｂに係合し、工具５０を周方向（左右方向又は前後方向）に位置決めする。キー１２ｃは工具５０を工具マガジン６１に装着可能な姿勢にする。作業者はキー１２ｃをキー溝５３ｂに係合するだけで、工具マガジン６１に工具５０を効率良く取り付けることができる。
【００５０】
掛止凹部１７ｃ、２７ｃ及び上側板は工具５０を掛止する。工具５０は工具保持具１から抜けないので、工具保持具１は工具５０を確実に保持する。
【００５１】
図７は構成の一部を変更した突出板１７、２７の一例を略示する拡大平面図、図８は構成の一部を変更した突出板１７、２７の他例を略示する拡大平面図である。掛止凹部１７ｃ、２７ｃの形状はＶ状に限定されない。例えば図７に示すように、掛止凹部１７ｃ、２７ｃの形状は半円状であってもよく、また矩形状であってもよい。また図８に示すように、掛止凹部１７ｃ、２７ｃを形成せずに、上板部１７ｂ、２７ｂの線分状の突出端縁にてプルスタッド５４を掛止してもよい。
【００５２】
（実施の形態２）
以下本発明を実施の形態２に係る工具保持具１を示す図面に基づいて説明する。図９は開いた状態の工具保持具１を略示する斜視図、図１０は閉じた状態の工具保持具１を略示する斜視図である。
【００５３】
第１保持部１０は保持枠１５を備える。保持枠１５は、上下に長い上面視Ｕ字状の半筒形をなす。保持枠１５の内側には、工具５０を保護する保護部材１６が螺子３５によって、取り外し可能に取り付けてある。保護部材１６は上下に長い半筒状をなす。保護部材１６の内周面は半円錐台形をなし、工具５０の円錐台部５２の形状に対応している。保持枠１５の上縁部の中央部分から上方に突出板１７が突出している。
【００５４】
図１０における保持枠１５の右側面部にスペーサ１９を介して取手１８が連結している。スペーサ１９は保持枠１５の右側面部から右方に突出し且つ下方に延びる。スペーサ１９の下端部に取手１８が連結している。取手１８はスペーサ１９の下端部から右方に突出するように湾曲して前方に延び、前方に延びた部分の先端部から下方に延びる。
【００５５】
第２保持部２０は保持枠２５を備える。保持枠２５は、上下に長い上面視Ｕ字状の半筒形をなす。保持枠２５の後面部から下方に延出片２５ａ（当接部）が延出している。延出片２５ａは保持枠１５よりも下側に位置し、第２保持部２０の回転時において保持枠１５に干渉しない。工具保持具１に保持した工具５０を工具マガジン６１に取り付ける場合、延出片２５ａは工具５０に接触して、工具５０を前方に押し出す。
【００５６】
保持枠２５の内側には、工具５０を保護する保護部材２６が螺子３５によって、取り外し可能に取り付けてある。保護部材２６は上下に長い半筒状をなす。保護部材２６の内周面は半円錐台形をなし、工具５０の円錐台部５２の形状に対応している。保持枠２５の上縁部の中央部分から上方に突出板２７が突出している。
【００５７】
図１０における保持枠２５の左側面部にスペーサ２９を介して取手２８が連結している。スペーサ２９は保持枠２５の左側面部から左方に突出し且つ下方に延びる。スペーサ２９の下端部に取手２８が連結している。取手２８はスペーサ２９の下端部から左方に突出するように湾曲して前方に延び、前方に延びた部分の先端部から下方に延びる。
【００５８】
第１保持部１０の保持枠１５の左縁部及び第２保持部２０の保持枠２５の右縁部は左右に対向し、ヒンジ３０によって回動可能に連結してある。作業者が取手１８、２８を掴み、左右に動かした場合、第１保持部１０及び第２保持部２０は左右に回動する。作業者の左右動作によって工具保持具１は開閉する。
【００５９】
図１１は工具５０を保持した工具保持具１を開いた状態において略示する斜視図、図１２は工具５０を保持した工具保持具１を閉じた状態において略示する斜視図である。なお工具５０は大型の大径工具である。
【００６０】
工具５０は工具本体５６及び工具ホルダ５１を備える。工具ホルダ５１は工具本体５６を支持する。工具ホルダ５１は、円錐台部５２、円柱部５３及びプルスタッド５４を有する。円錐台部５２は上側が縮径するように形成してある。円柱部５３は円錐台部５２の下端部に同軸的に設けてある。円柱部５３の周面の上下方向中央部分に、周方向に沿った溝５３ａが設けてある。円柱部５３の一側面部及び他側面部夫々にキー溝５３ｂが設けてある。
【００６１】
他側面部は、一側面部の略１８０度反対側に位置する。プルスタッド５４は円柱状をなし、円錐台部５２の上面から上方に突出している。プルスタッド５４の上端部は、下部分よりも大径である。工具本体５６は円柱状をなし、その直径は円柱部５３よりも大きい。工具本体５６は円柱部５３の下端部に連結している。
【００６２】
図１１に示すように、工具５０を工具保持具１に保持する場合、作業者は工具保持具１を開き、二つのキー溝５３ｂ夫々が前側及び後側に位置するように、円錐台部５２を二つの保護部材１６、２６の間に配置する。図１２に示すように、作業者は工具保持具１を閉じ、二つの保護部材１６、２６によって円錐台部５２の周面を保持する。
【００６３】
実施の形態１の工具保持具１に比べて、実施の形態２の工具保持具１は上下寸法が短い。またスペーサ１９、２９を介して取手１８、２８が保持枠１５、２５に連結し且つ取手１８、２８は左右に突出するように湾曲している。それ故、工具５０が大径工具であっても、工具保持具１は工具５０に干渉せず、大径工具を保持することができる。
【００６４】
実施の形態２に係る工具保持具１の構成の内、実施の形態１と同様な構成については同じ符号を付し、その詳細な説明を省略する。
【符号の説明】
【００６５】
１  工具保持具
１０  第１保持部（保持部）
１２ｃ  キー
１６、２６  保護部材
１７、２７  突出板（掛止部）
１７ｃ、２７ｃ  掛止凹部
１８、２８  取手（取手部）
２０  第２保持部（保持部）
３０  ヒンジ（連結部）
５０  工具
５３ｂ  キー溝
【図１】
2015174158.tif 000003
【図２】
2015174158.tif 000004
【図３】
2015174158.tif 000005
【図４】
2015174158.tif 000006
【図５】
2015174158.tif 000007
【図６】
2015174158.tif 000008
【図７】
2015174158.tif 000009
【図８】
2015174158.tif 000010
【図９】
2015174158.tif 000011
【図１０】
2015174158.tif 000012
【図１１】
2015174158.tif 000013
【図１２】
2015174158.tif 000014